(57)【要約】【課題】保護カバーの取付位置を変更する際に、ボルトが脱落して紛失することを防止できる刈払機の防護カバー取付構造体を提供する。【解決手段】刈払機の防護カバー取付構造体２０は、刈払機本体１１から操作杆１７が延出され、操作杆の基端部１７ａ近傍において刈払機本体に第１〜第４のボルト３６Ａ〜３６Ｄで防護カバー３４が取り付けられている。この防護カバー取付構造体は、第１〜第４のボルトの各頭部３６ａにシート部材４２が係合され、シート部材で第１〜第４のボルトが一体化され、シート部材に操作杆が貫通可能なシート貫通穴６２を備えている。【選択図】図４
2011193746.tif 000002
【特許請求の範囲】
【請求項１】
刈払機本体から操作杆が延出され、前記操作杆の基端部近傍において前記刈払機本体に複数のボルトで防護カバーが取り付けられた刈払機の防護カバー取付構造体であって、
前記複数のボルトの各頭部にシート部材が係合され、前記シート部材で前記複数のボルトが一体化され、
前記シート部材に前記操作杆が貫通可能なシート貫通穴を備えたことを特徴とする刈払機の防護カバー取付構造体。
【請求項２】
前記頭部に前記シート部材を係合するために、前記頭部に環状の係合溝部を備えるとともに、前記係合溝部に係合可能な係合穴を前記シート部材に備え、
前記係合穴の周縁に径方向に延びるスリットが形成されたことを特徴とする請求項１記載の刈払機の防護カバー取付構造体。
【請求項３】
前記複数のボルトで前記防護カバーに取付可能なプレート部材と、
前記防護カバーに設けられ、前記プレート部材を所定の位置に配置可能な張出片と、
を備え、
前記プレート部材が所定の位置からずれて配置された場合、前記プレート部材を前記防護カバーに取り付けることを前記張出片で阻止可能としたことを特徴とする請求項１または請求項２記載の刈払機の防護カバー取付構造体。
【請求項４】
前記プレート部材は、
前記操作杆が貫通可能なプレート貫通穴を備えたことを特徴とする請求項３記載の刈払機の防護カバー取付構造体。
【発明の詳細な説明】
【技術分野】
【０００１】
本発明は、刈払機本体から操作杆が延出されるとともに、この刈払機本体に刈刃が回転自在に設けられ、この刈刃を覆う防護カバーが設けられた刈払機の防護カバー取付構造体に関する。
【背景技術】
【０００２】
刈払機は、雑草を刈る際の用途に応じて刈刃（例えば、ロータリ刃や糸刃など）が交換可能で、かつ、交換した刈刃の後上方を覆うように保護カバーの取付位置を変更可能に構成されている。
刈払機の防護カバー取付構造体として、例えば、保護カバーを支持するカバー支持部材に長孔を形成し、カバー支持部材に保護カバーを重ね、保護カバーの取付孔からボルトを長孔に差し込み、長孔から突出したねじ部をナットにねじ結合することによりカバー支持部材で保護カバーを支持するように構成したものが知られている。
【０００３】
この防護カバー取付構造体によれば、ロータリ刃や糸刃を交換する際に、ボルトを緩めて、緩めたボルトを長孔に沿って移動させることで、交換したロータリ刃や糸刃に合わせて保護カバーの取付位置を変更することが可能である（例えば、特許文献１参照。）。
【先行技術文献】
【特許文献】
【０００４】
【特許文献１】特開平９−２０５８４３号公報
【発明の概要】
【発明が解決しようとする課題】
【０００５】
しかし、特許文献１の刈払機は、保護カバーの取付位置を変更するためにボルトを緩めた際に、緩めたボルトがナットから外れることが考えられる。
ボルトがナットから外れることで、ナットから外れたボルトが保護カバーの取付孔から脱落して紛失する虞がある。
【０００６】
本発明は、保護カバーの取付位置を変更する際に、ボルトが脱落して紛失することを防止できる刈払機の防護カバー取付構造体を提供することを課題とする。
【課題を解決するための手段】
【０００７】
請求項１に係る発明は、刈払機本体から操作杆（操作フレーム）が延出され、前記操作杆の基端部近傍において前記刈払機本体に複数のボルトで防護カバーが取り付けられた刈払機の防護カバー取付構造体において、前記複数のボルトの各頭部にシート部材が係合され、前記シート部材で前記複数のボルトが一体化され、前記シート部材に前記操作杆が貫通可能なシート貫通穴を備えたことを特徴とする。
【０００８】
請求項２は、前記頭部に前記シート部材を係合するために、前記頭部に環状の係合溝部を備えるとともに、前記係合溝部に係合可能な係合穴を前記シート部材に備え、前記係合穴の周縁に径方向に延びるスリットが形成されたことを特徴とする。
【０００９】
請求項３は、前記複数のボルトで前記防護カバーに取付可能なプレート部材と、前記防護カバーに設けられ、前記プレート部材を所定の位置に配置可能な張出片と、を備え、前記プレート部材が所定の位置からずれて配置された場合、前記プレート部材を前記防護カバーに取り付けることを前記張出片で阻止可能としたことを特徴とする。
【００１０】
請求項４は、前記プレート部材は、前記操作杆が貫通可能なプレート貫通穴を備えたことを特徴とする。
【発明の効果】
【００１１】
請求項１に係る発明では、複数のボルトの各頭部にシート部材を係合して、シート部材で複数のボルトを一体化した（一体に連結した）。そして、シート部材にシート貫通穴を備え、シート貫通穴に操作杆を貫通させた。
よって、複数のボルトをシート部材を介して操作杆に連結させることができる。
これにより、複数のボルトを緩めて保護カバーの取付位置を変更する際に、緩めた複数のボルトが操作杆から脱落して紛失することを防止できる。
【００１２】
請求項２に係る発明では、頭部に環状の係合溝部を備えるとともにシート部材に係合穴を備えた。そして、係合穴の周縁に径方向に延びるスリットを形成した。
係合穴の周縁にスリットを形成することで、係合穴の周縁近傍を複数の部位（以下、「周縁フラップ」という）に分割できる。
これにより、頭部の係合溝部に係合穴を嵌め込む際に、周縁フラップを弾性変形させて係合溝部に係合穴を容易に嵌め込むことができる。
【００１３】
ここで、防護カバーを着脱する際に、通常、係合穴の近傍に応力が集中することを防止するために、複数のボルトを各々均等に締め付けたり、緩めたりする。
しかし、複数のボルトのうち１本だけを締め付けたり、緩めたりすることも考えられる。この場合、係合穴の周縁近傍が局部的に変形して係合穴の周縁近傍に応力が集中して亀裂などが発生することが考えられる。
【００１４】
そこで、請求項１において、係合穴の周縁にスリットを形成して係合穴の周縁近傍を複数の周縁フラップに分割するようにした。
よって、複数のボルトのうち１本だけを締め付けたり、緩めたりした場合に、複数の周縁フラップが弾性変形して係合穴の周縁近傍に応力が集中することを防ぐことができる。
これにより、係合穴の周縁近傍に亀裂が発生することや、周縁近傍が破損することを防いで、係合穴からボルトが脱落することを防止できる。
【００１５】
請求項３に係る発明では、防護カバーに張出片を備え、この張出片でプレート部材を所定の位置に配置可能とした。そして、プレート部材が所定の位置からずれて配置された場合、プレート部材を防護カバーに取り付けることを張出片で阻止可能とした。
よって、プレート部材を誤った位置に取り付けることを張出片で容易に確認することができるので、プレート部材を所定の位置に簡単に取り付けることができる。
【００１６】
プレート部材を所定の位置に取り付けることで、プレート部材で防護カバーを正規の位置に取り付けることができる。
これにより、刈刃に合わせて防護カバーを正規の位置に簡単に取り付けることができるので、刈払機の使い勝手の向上を図ることができる。
【００１７】
請求項４に係る発明では、プレート部材にプレート貫通穴を備え、このプレート貫通穴に操作杆を貫通させた。
よって、プレート貫通穴に操作杆を貫通させることで、操作杆にプレート部材を連結することができる。
これにより、複数のボルトを緩めて保護カバーの取付位置を変更する際に、プレート部材が操作杆から脱落して紛失することを防止できる。
【図面の簡単な説明】
【００１８】
【図１】本発明に係る刈払機を示す側面図である。
【図２】図１の刈払機にロータリ刃を備えた防護カバー取付構造体を示す斜視図である。
【図３】図２の３矢視図である。
【図４】図３の防護カバー取付構造体を示す分解斜視図である。
【図５】図４の５−５線断面図である。
【図６】図３の６−６線断面図である。
【図７】図６の７部拡大図である。
【図８】図４の防護カバー取付構造体を示す断面図である。
【図９】図３の９−９線断面図である。
【図１０】本発明に係る防護カバーを誤った位置に組み付ける例を説明する分解斜視図である。
【図１１】本発明に係る防護カバーを誤った位置に組み付けることを防止する例を説明する断面図である。
【図１２】本発明に係る刈払機に糸刃を備えた防護カバー取付構造体を示す分解斜視図である。
【図１３】図１２の防護カバー取付構造体を示す断面図である。
【図１４】図１３の防護カバー取付構造体を組み付けた状態を示す断面図である。
【発明を実施するための形態】
【００１９】
本発明を実施するための最良の形態を添付図に基づいて以下に説明する。なお、「前（Ｆｒ）」および「後（Ｒｒ）」は作業者から見た方向にしたがう。
【実施例】
【００２０】
実施例に係る刈払機の防護カバー取付構造体（以下、「防護カバー取付構造体」と略記する）２０について説明する。
図１に示すように、刈払機１０は、刈払機本体１１に設けられた刈刃１３と、刈払機本体１１のフレーム支持部１２（図２も参照）から延出された操作杆（操作フレーム）１７と、操作杆１７の基端部１７ａ近傍においてフレーム支持部１２に設けられた防護カバー取付構造体２０とを備えている。
【００２１】
さらに、刈払機１０は、操作杆１７の先端部１７ｂに設けられたエンジン２２と、エンジン２２の回転を刈刃１３に伝えるために操作杆１７に内通された駆動軸２３と、操作杆１７の先端部１７ｂ近傍に設けられた掛け部２４と、操作杆１７の略中央に設けられたハンドル２５とを備えている。
【００２２】
この刈払機１０を用いて雑草２７を刈る際には、作業者２８の上半身２８ａに肩掛け用ベルト２９を掛け、肩掛け用ベルト２９に掛け部２４を掛けて上半身２８ａで刈払機１０を支える。
この状態で、エンジン２２で刈刃１３を回転させた後、左右のグリップ２５ａを手で握って操作杆１７を前後左右に振りながら刈刃１３で雑草２７を刈ることができる。
【００２３】
ここで、刈払機１０は、その用途に応じて刈刃１３がロータリ刃１４（図２参照）や糸刃（ナイロン刃）１５（図１３参照）などに交換可能に構成されている。
また、防護カバー取付構造体２０は、刈刃１３をロータリ刃１４や糸刃１５などに交換した際に、交換したロータリ刃１４や糸刃１５などの後上方を覆うように防護カバー３４の取付位置を変更可能に構成されている。
【００２４】
以下、防護カバー取付構造体２０の構成について詳しく説明する。
まず、刈払機１０に刈刃１３としてロータリ刃１４を取り付けた例を図２〜図１１に基づいて説明する。
図２〜図４に示すように、フレーム支持部１２は、操作杆１７の基端部１７ａが設けられ、操作杆１７の周囲に左右の上ねじ孔３０，３１が形成されるとともに左右の下ねじ孔３２，３３（右下ねじ孔３３は図１０、図１２参照）が形成されている。
【００２５】
防護カバー取付構造体２０は、刈刃１３（ロータリ刃１４）の後上方を覆う防護カバー３４と、防護カバー３４を位置決めするプレート部材３５と、プレート部材３５および防護カバー３４をフレーム支持部１２に取り付ける第１〜第４のボルト（複数のボルト）３６と、第１〜第４のボルト３６を一体に連結するシート部材４２とを備えている。
さらに、防護カバー取付構造体２０は、第１〜第４のボルト３６がねじ結合可能な左右の上ねじ孔３０，３１および左右の下ねじ孔３２，３３を有するフレーム支持部１２を備えている。
【００２６】
防護カバー３４は、ロータリ刃１４の後上方を覆うカバー本体４４と、カバー本体４４の前端部４４ａ（図８も参照）から上方に立ち上げられたカバー取付部４５とを備えている。
カバー取付部４５は、上方に開口する略Ｕ字状の取付溝部４６が形成され、カバー取付部４５の左上端部から後方に左張出片（張出片）４７が張り出され（設けられ）、カバー取付部４５の上右端部から後方に右張出片（張出片）４８が張り出されている（設けられている）。
【００２７】
左張出片４７は取付溝部４６の上左側に設けられ、右張出片４８は取付溝部４６の上右側に設けられている。カバー取付部４５に左右の張出片４７，４８を設けることでプレート部材３５を誤った位置に取り付けることを阻止できる。
よって、プレート部材３５を所定の位置に取り付けることができ、防護カバー３４を正規の位置（所定の位置）に取り付けることができる。
左右の張出片４７，４８の役割については図１０、図１１で詳しく説明する。
【００２８】
取付溝部４６は、略Ｕ字状に形成され、取付溝部４６の開口部４６ａから操作杆１７に嵌入可能に形成されている。
この取付溝部４６は、操作杆１７を取付溝部４６の底部４６ｂ側（すなわち、図４の状態）と、取付溝部４６の開口部４６ａ側（すなわち、図１０、図１２の状態）に配置可能に形成されている。
【００２９】
さらに、カバー取付部４５は、取付溝部４６の上左右側に左右の上調整穴５１が一定間隔Ｓ１をおいて形成され、取付溝部４６の中央左右側に左右の中央調整穴５２が一定間隔Ｓ１をおいて形成され、取付溝部４６の下左右側に左右の下調整穴５３が一定間隔Ｓ１をおいて形成されている。
【００３０】
また、左上調整穴５１、左中央調整穴５２および左下調整穴５３が同一直線上に一定間隔Ｓ２をおいて配置されている。
さらに、右上調整穴５１、右中央調整穴５２および右下調整穴５３が同一直線上に一定間隔Ｓ２をおいて配置されている。
【００３１】
プレート部材３５は、縦長のプレートで、上下方向の一方の辺（以下、「一辺」という）３５ａから上下方向の他方の辺（以下、「他辺」という）３５ｂまでの長さ寸法が、左右の辺３５ｃ間の長さ寸法より大きく形成された縦長の板材である。
このプレート部材３５は、一辺３５ａ側寄りの部位３５ｄにプレート貫通穴５５が形成され、プレート貫通穴５５の周囲に第１〜第４の取付穴５６〜５９が形成されている。
【００３２】
ここで、刈払機１０にロータリ刃１４を取り付ける際には、プレート貫通穴５５が下側に位置するようにプレート部材３５を配置する。
プレート部材３５を縦長の板材に形成することで、プレート部材３５をカバー取付部４５に取り付けた状態でカバー取付部４５の取付溝部４６を覆うことができる。すなわち、取付溝部４６を作業者から見えないようにプレート部材３５で隠すことができる。
【００３３】
プレート貫通穴５５は操作杆１７が貫通可能な円形の穴である。
よって、プレート貫通穴５５に操作杆１７を貫通させることで、操作杆１７にプレート部材３５を連結することができる。
これにより、第１〜第４のボルト３６を緩めて防護カバー３４の取付位置を変更する際に、プレート部材３５が操作杆１７から脱落して紛失することを防止できる。
【００３４】
第１、第２の取付穴５６，５７が左右方向に一定間隔Ｓ１をおいて形成されるとともに、第３、第４の取付穴５８，５９が左右方向に一定間隔Ｓ１をおいて形成されている。
また、第１、第３の取付穴５６，５８が上下方向に一定間隔Ｓ２をおいて配置され、第２、第４の取付穴５７，５９が上下方向に一定間隔Ｓ２をおいて配置されている。
【００３５】
図４〜図６に示すように、シート部材４２は、略矩形状に形成された樹脂製のプレートで、中央にシート貫通穴６２が形成され、シート貫通穴６２の周囲に第１〜第４の係合穴（係合穴）６３が形成されている。
シート貫通穴６２は、フレーム支持部１２および操作杆１７が貫通可能な円形の穴である。
【００３６】
第１、第２の係合穴６３が左右方向に一定間隔Ｓ１をおいて形成されるとともに、第３、第４の係合穴６３が左右方向に一定間隔Ｓ１をおいて形成されている。
また、第１、第３の係合穴６３が上下方向に一定間隔Ｓ２をおいて配置され、第２、第４の係合穴６３が上下方向に一定間隔Ｓ２をおいて配置されている。
第１〜第４の係合穴６３に第１〜第４のボルト３６がそれぞれ係合されている。
【００３７】
図７に示すように、第２係合穴６３は、周縁６３ａに径方向に延びる複数のスリット６８が形成され、複数のスリット６８の先端に小穴６９が形成されている。
第２係合穴６３の周縁６３ａに複数のスリット６８を形成することで、第２係合穴６３の周縁６３ａ近傍を複数の部位（以下、「周縁フラップ」という）７１に分割できる。
よって、シート部材４２を樹脂製のプレートとすることで、複数の周縁フラップ７１を弾性変形させることができる。
第２係合穴６３に第２ボルト３６の頭部３６ａ（係合溝部３６ｅ）が係合されている。
【００３８】
図５に示すように、第２ボルト３６は、六角穴３６ｂが形成された頭部３６ａと、頭部３６ａから同軸上に延出された首下部３６ｃと、首下部３６ｃから同軸上に延出されたねじ部３６ｄとを有する。
首下部３６ｃにはロックワッシャ（スプリングワッシャ）７３および平ワッシャ７４が嵌合されている。ロックワッシャ７３の内径、および平ワッシャ７４の内径はねじ部３６ｄの外径Ｄより小さく形成されている。
よって、ロックワッシャ７３および平ワッシャ７４を首下部３６ｃに保持することができる。
【００３９】
頭部３６ａは、第２係合穴６３に係合可能な環状の係合溝部３６ｅを備えている。
ここで、図７に示すように、第２係合穴６３は周縁６３ａに弾性変形可能な周縁フラップ７１を備えている。よって、第２係合穴６３に頭部３６ａの先端部３６ｆ（図５参照）を差し込むことで周縁フラップ７１を弾性変形させることができる。
周縁フラップ７１を弾性変形させることで、頭部３６ａを第２係合穴６３に簡単に差し込むことができる。これにより、係合溝部３６ｅに第２係合穴６３を容易に嵌め込むことが可能になり、第２係合穴６３に係合溝部３６ｅを係合させることができる。
【００４０】
図４に示す第１ボルト３６および第３〜第４のボルト３６にも、第２ボルト３６と同様に各頭部３６ａに係合溝部３６ｅが形成されている。
また、図６に示すように、第１係合穴６３および第３〜第４の係合穴６３にも、第２係合穴６３と同様に各周縁６３ａに複数のスリット６８が形成されている。
【００４１】
よって、第１係合穴６３に第１ボルト３６の係合溝部３６ｅを容易に係合させることができる。また、第３係合穴６３に第３ボルト３６の係合溝部３６ｅを容易に係合させることができる。さらに、第４係合穴６３に第４ボルト３６の係合溝部３６ｅを容易に係合させることができる。
これにより、第１〜第４のボルト３６の各頭部３６ａにシート部材４２を係合することができるので、シート部材４２で第１〜第４のボルト３６を一体化する（連結する）ことができる。
【００４２】
さらに、シート貫通穴６２は操作杆１７が貫通可能に形成されている。
よって、シート貫通穴６２に操作杆１７を貫通させることで、第１〜第４のボルト３６をシート部材４２を介して操作杆１７に連結させることができる。
これにより、第１〜第４のボルト３６を緩めて防護カバー３４の取付位置を変更する際に、緩めた第１〜第４のボルト３６が操作杆１７から脱落して紛失することを防止できる。
【００４３】
ところで、図４に示すように、第１〜第４のボルト３６の各頭部３６ａにシート部材４２を係合することで、第１、第２のボルト３６が左右方向に一定間隔Ｓ１をおいて形成されるとともに、第３、第４のボルト３６が左右方向に一定間隔Ｓ１をおいて形成されている。
また、第１、第３のボルト３６が上下方向に一定間隔Ｓ２をおいて配置され、第２、第４のボルト３６が上下方向に一定間隔Ｓ２をおいて配置されている。
【００４４】
つぎに、第１〜第４のボルト３６で防護カバー３４を組み付ける例を説明する。なお、以下、構成の理解を容易にするために、第１〜第４のボルト３６のうち、第１ボルト３６Ａ、第２ボルト３６Ｂ、第３ボルト３６Ｃおよび第４ボルト３６Ｄとして説明する。
【００４５】
図４に示すように、刈払機１０にロータリ刃１４を取り付ける際には、プレート貫通穴５５が下側に位置するようにプレート部材３５を配置する。
そして、図４、図８に示すように、第１ボルト３６Ａのねじ部３６ｄをプレート部材３５の第１取付穴５６およびカバー取付部４５の左中央調整穴５２に貫通し、左中央調整穴５２を貫通したねじ部３６ｄを左上ねじ孔３０にねじ結合する。
また、第２ボルト３６Ｂのねじ部３６ｄをプレート部材３５の第２取付穴５７およびカバー取付部４５の右中央調整穴５２に貫通し、右中央調整穴５２を貫通したねじ部３６ｄを右上ねじ孔３１にねじ結合する。
【００４６】
さらに、第３ボルト３６Ｃのねじ部３６ｄをプレート部材３５の第３取付穴５８およびカバー取付部４５の左下調整穴５３に貫通し、左下調整穴５３を貫通したねじ部３６ｄを左下ねじ孔３２にねじ結合する。
加えて、第４ボルト３６Ｄのねじ部３６ｄをプレート部材３５の第４取付穴５９およびカバー取付部４５の右下調整穴５３に貫通し、右下調整穴５３を貫通したねじ部３６ｄを右下ねじ孔３３（図１０、図１２参照）にねじ結合する。
【００４７】
図９に示すように、第１、第２のボルト３６Ａ，３６Ｂを左右の上ねじ孔３０，３１にねじ結合する（締め付ける）。さらに、第３、第４のボルト３６Ｃ，３６Ｄを左右の下ねじ孔３２，３３にねじ結合する（締め付ける）。
よって、防護カバー３４のカバー取付部４５にプレート部材３５を重ね合わせた状態で、カバー取付部４５およびプレート部材３５をフレーム支持部１２に取り付ける（固定する）ことができる。
具体的には、カバー取付部４５およびプレート部材３５は、フレーム支持部１２のうち、操作杆１７の基端部１７ａ近傍の部位１２ａに取り付けられる（固定される）。
【００４８】
この状態で、プレート部材３５の他辺３５ｂが左右の張出片４７，４８の下方に位置して左右の張出片４７，４８に干渉しない。
このように、プレート部材３５の他辺３５ｂが左右の張出片４７，４８に干渉しないことで、プレート部材３５が所定の位置、すなわちプレート貫通穴５５が下側に配置された位置に取り付けられる（図４参照）。
【００４９】
よって、図６に示すように、プレート貫通穴５５が取付溝部４６の底部４６ｂ側に配置され、プレート貫通穴５５に貫通された操作杆１７が取付溝部４６の底部４６ｂ側に保持される。
これにより、図２、図８に示すように、防護カバー３４をプレート部材３５でロータリ刃１４に合わせた正規の位置に取り付けることができる。
なお、プレート部材３５をカバー取付部４５に取り付けた状態でカバー取付部４５の取付溝部４６を覆うことで、図３に示すように、取付溝部４６を作業者から見えないように隠すことができる。
【００５０】
ところで、刈払機１０によれば、刈刃１３をロータリ刃１４や糸刃１５（図１３参照）などに合わせて防護カバー３４の位置を変える際に、第１〜第４のボルト３６Ａ〜３６Ｄを緩めたり、締め付けたりして防護カバー３４を着脱することができる。
ここで、第１〜第４のボルト３６Ａ〜３６Ｄを緩めたり、締め付けたりする場合、通常、第１〜第４の係合穴６３の近傍に応力が集中することを防止するために、第１〜第４のボルト３６Ａ〜３６Ｄを各々均等に締め付けたり、緩めたりする。
【００５１】
しかし、第１〜第４のボルト３６Ａ〜３６Ｄのうち１本だけを締め付けたり、緩めたりすることも考えられる。この場合、第１〜第４の係合穴６３の周縁６３ａ近傍が局部的に変形して第１〜第４の係合穴６３の周縁６３ａ（図６参照）近傍に応力が集中して亀裂などが発生することが考えられる。
【００５２】
そこで、第１〜第４の係合穴６３の周縁６３ａにスリット６８を形成して第１〜第４の係合穴６３の周縁６３ａ近傍を複数の周縁フラップ７１（図７参照）に分割するようにした。
よって、第１〜第４のボルト３６Ａ〜３６Ｄのうち１本だけを締め付けたり、緩めたりした場合に、複数の周縁フラップ７１が弾性変形して第１〜第４の係合穴６３の周縁６３ａ近傍に応力が集中することを防ぐことができる。
これにより、第１〜第４の係合穴６３の周縁６３ａ近傍に亀裂が発生することや、周縁６３ａ近傍が破損することを防いで、第１〜第４の係合穴６３から第１〜第４のボルト３６Ａ〜３６Ｄが脱落することを防止できる。
【００５３】
ここで、防護カバー３４を誤った位置に組み付けることを防ぐ例を図１０、図１１に基づいて説明する。
図１０に示すように、操作杆１７の基端部１７ａやプレート貫通穴５５を取付溝部４６の開口部４６ａ側に配置した状態で、第１、第２のボルト３６Ａ，３６Ｂを左右の上調整穴５１に誤って取り付け、第３、第４のボルト３６Ｃ，３６Ｄを左右の中央調整穴５２に誤って取り付けることが考えられる。
この場合、防護カバー３４が誤った位置（すなわち、ロータリ刃１４（図２参照）に対応しない位置）に組み付けられることになり、この対策が望まれていた。
防護カバー３４を誤った位置に組み付けた場合、例えば、プレート部材３５でカバー取付部４５の取付溝部４６を覆うことができないなどの不具合が生じる。
【００５４】
そこで、本実施例において、カバー取付部４５の上左端部から後方に左張出片４７を張り出し、取付溝部４６の上右端部から後方に右張出片４８を張り出した。
よって、プレート貫通穴５５を取付溝部４６の開口部４６ａ側に配置するようにプレート部材３５を配置した場合、図１１に示すように、プレート部材３５が左右の張出片４７，４８に当接する。
【００５５】
プレート部材３５が左右の張出片４７，４８に当接することで、プレート部材３５をカバー取付部４５に対して所定間隔だけ浮いた状態（離れた状態）に保つことができる。
プレート部材３５をカバー取付部４５に対して離れた状態に保つことで、第１、第２のボルト３６Ａ，３６Ｂを左右の上ねじ孔３０，３１から離した状態に配置でき、かつ、第３、第４のボルト３６Ｃ，３６Ｄを左右の下ねじ孔３２，３３から離した状態に配置できる。
これにより、第１〜第４のボルト３６を左右の上ねじ孔３０，３１や左右の下ねじ孔３２，３３にねじ結合することを防止できる。
【００５６】
すなわち、カバー取付部４５に左右の張出片４７，４８を設けることで、プレート部材３５を誤った位置に取り付けることを容易に確認することができ、プレート部材３５を所定の位置に簡単に取り付けることができる。
プレート部材３５を所定の位置に取り付けることで、プレート部材３５で防護カバー３４を正規の位置（図２に示す位置）に取り付けることができる。
これにより、図２に示すように、ロータリ刃１４に合わせて防護カバー３４を正規の位置に簡単に取り付けることができるので、刈払機１０の使い勝手の向上を図ることができる。
【００５７】
つぎに、刈払機１０に刈刃１３として糸刃１５を取り付けた例を図１２〜図１４に基づいて説明する。
図１２、図１３に示すように、刈払機１０に糸刃１５を取り付ける際には、プレート貫通穴５５が上側に位置するようにプレート部材３５を配置する。
【００５８】
そして、第１ボルト３６Ａのねじ部３６ｄをプレート部材３５の第４取付穴５９およびカバー取付部４５の左上調整穴５１に貫通し、左上調整穴５１を貫通したねじ部３６ｄを左上ねじ孔３０にねじ結合する。
また、第２ボルト３６Ｂのねじ部３６ｄをプレート部材３５の第３取付穴５８およびカバー取付部４５の右上調整穴５１に貫通し、右上調整穴５１を貫通したねじ部３６ｄを右上ねじ孔３１にねじ結合する。
【００５９】
さらに、第３ボルト３６Ｃのねじ部３６ｄをプレート部材３５の第２取付穴５７およびカバー取付部４５の左中央調整穴５２に貫通し、左中央調整穴５２を貫通したねじ部３６ｄを左下ねじ孔３２にねじ結合する。
加えて、第４ボルト３６Ｄのねじ部３６ｄをプレート部材３５の第１取付穴５６およびカバー取付部４５の右中央調整穴５２に貫通し、右中央調整穴５２を貫通したねじ部３６ｄを右下ねじ孔３３にねじ結合する。
【００６０】
これにより、図１４に示すように、第１、第２のボルト３６Ａ，３６Ｂを左右の上ねじ孔３０，３１にねじ結合する（締め付ける）。さらに、第３、第４のボルト３６Ｃ，３６Ｄを左右の下ねじ孔３２，３３にねじ結合する（締め付ける）。
よって、防護カバー３４のカバー取付部４５にプレート部材３５を重ね合わせた状態で、カバー取付部４５およびプレート部材３５をフレーム支持部１２に取り付ける（固定する）ことができる。
具体的には、カバー取付部４５およびプレート部材３５は、フレーム支持部１２のうち、操作杆１７の基端部１７ａ近傍の部位１２ａに取り付けられる（固定される）。
【００６１】
この状態で、プレート部材３５の一辺３５ａが左右の張出片４７，４８の下方に位置して左右の張出片４７，４８に干渉しない。
このように、プレート部材３５の一辺３５ａが左右の張出片４７，４８に干渉しないことで、プレート部材３５が所定の位置、すなわちプレート貫通穴５５が上側に配置された位置に取り付けられる（図１２参照）。
【００６２】
よって、プレート貫通穴５５が取付溝部４６の開口部４６ａ側に配置され、プレート貫通穴５５に貫通された操作杆が取付溝部４６の開口部４６ａ側に保持される。
これにより、図１３に示すように、防護カバー３４をプレート部材３５で糸刃１５に合わせた正規の位置に取り付けることができる。
なお、プレート部材３５をカバー取付部４５に取り付けた状態でカバー取付部４５の取付溝部４６を覆うことで、取付溝部４６を作業者から見えないように隠すことができる。
【００６３】
なお、本発明に係る刈払機の防護カバー取付構造体２０は、前述した実施例に限定されるものではなく適宜変更、改良などが可能である。
例えば、前記実施例では、カバー取付部４５に左右の張出片４７，４８を設けた例について説明したが、これに限らないで、カバー取付部４５に左右の張出片４７，４８を設けないようにすることも可能である。
【００６４】
また、前記実施例では、取付け用のボルトとして第１〜第４のボルト３６（３６Ａ，３６Ｂ，３６Ｃ，３６Ｄ）を備えた例について説明したが、これに限定しないで、取付け用のボルトの本数を３本などの他の本数にすることも可能である。
【００６５】
さらに、前記実施例で示した刈払機１０、刈払機本体１１、刈刃１３、ロータリ刃１４、糸刃１５、操作杆１７、防護カバー３４、プレート部材３５、第１〜第４のボルト３６（３６Ａ，３６Ｂ，３６Ｃ，３６Ｄ）、頭部３６ａ、係合溝部３６ｅ、シート部材４２、左張出片４７、右張出片４８、プレート貫通穴５５、シート貫通穴６２、第１〜第４の係合穴６３、周縁６３ａおよびスリット６８などの形状や構成は例示したものに限定するものではなく適宜変更が可能である。
【産業上の利用可能性】
【００６６】
本発明は、刈払機本体に操作杆が設けられるとともに刈刃が回転自在に設けられ、この刈刃を覆う防護カバーの取付構造体を備えた刈払機への適用に好適である。
【符号の説明】
【００６７】
１０…刈払機、１１…刈払機本体、１３…刈刃、１４…ロータリ刃、１５…糸刃、１７…操作杆、１７ａ…操作杆の基端部、２０…刈払機の防護カバー取付構造体、３４…防護カバー、３５…プレート部材、３６（３６Ａ，３６Ｂ，３６Ｃ，３６Ｄ）…第１〜第４のボルト（複数のボルト）、３６ａ…頭部、３６ｅ…係合溝部、４２…シート部材、４７…左張出片（張出片）、４８…右張出片（張出片）、５５…プレート貫通穴、６２…シート貫通穴、６３…第１〜第４の係合穴（係合穴）、６３ａ…周縁、６８…スリット。
【図１】
2011193746.tif 000003
【図２】
2011193746.tif 000004
【図３】
2011193746.tif 000005
【図４】
2011193746.tif 000006
【図５】
2011193746.tif 000007
【図６】
2011193746.tif 000008
【図７】
2011193746.tif 000009
【図８】
2011193746.tif 000010
【図９】
2011193746.tif 000011
【図１０】
2011193746.tif 000012
【図１１】
2011193746.tif 000013
【図１２】
2011193746.tif 000014
【図１３】
2011193746.tif 000015
【図１４】
2011193746.tif 000016